(57)【要約】【課題】接続される吸込み具に植毛部材を接着剤で固着させるときに接着剤が食み出しにくく、植毛部材の機能を維持し床面を傷付けることがない電気掃除機を提供することを目的とする。【解決手段】本体内部に設けられた吸引風を発生させる電動送風機と、集塵部と、ホース体と、手元ハンドル体と、延長管と、吸込み具とを備え、吸込み具は吸込み具本体と延長管とを接続する風路が設けられた継手を有し、吸込み具本体は、上ケースと床面と対向する面側に吸込口の一部を形成する下ケースから成り、下ケースには植毛部材を有する下ケースカバーが取付けられ、植毛部材は、その先端部が下ケースカバーより突出するように下ケースカバーに設けられた溝形状内に挿入されて、接着剤で下ケースカバーに接着されるようになっていて、溝形状の側壁あるいは底面に接着剤を逃がす凹部が１つあるいは複数設けられている。【選択図】図５
2017018412.tif 000002
【特許請求の範囲】
【請求項１】
本体内部に設けられた、塵埃を吸い込むための吸引風を発生させる電動送風機と、
前記塵埃を収容するための集塵部と、
一端が前記本体に接続されるホース体と、
該ホース体の他端に接続される手元ハンドル体と、
該手元ハンドル体に設けられた管体と着脱可能に接続される延長管と、
該延長管と着脱可能に接続される吸込み具と、を備え、
該吸込み具は、吸込み具本体と前記延長管とを接続する風路が設けられた継手を有し、
前記吸込み具本体は、上ケースと、床面と対向する面側に吸込口の一部を形成する下ケースから成り、
前記下ケースには、床面を拭いたり塵埃を捕捉したりするための植毛部材を有する下ケースカバーが取付けられ、
前記植毛部材は、その先端部が前記下ケースカバーより突出するように、前記下ケースカバーに設けられた溝形状内に挿入されて、接着剤で前記下ケースカバーに接着されるようになっていて、前記溝形状の側壁あるいは底面に前記接着剤を逃がす凹部が１つあるいは複数設けられていることを特徴とする電気掃除機。
【請求項２】
前記植毛部材が挿入される前記溝形状は、前記下ケースカバーの長手方向のほぼ中央で鈍角に屈曲していて、１つの前記凹部は、その屈曲している箇所の側壁あるいは底面に設けられていることを特徴とする請求項１に記載の電気掃除機。
【請求項３】
前記下ケースカバーは、前記下ケースに着脱可能に取付けられていることを特徴とする請求項１あるいは請求項２何れかに記載の電気掃除機。
【請求項４】
前記下ケースカバーは係止爪を備え、前記下ケースに設けられた係合穴に、係止爪を掛けて取付けられていることを特徴とする請求項３に記載の電気掃除機。
【請求項５】
前記下ケースカバーは、前記下ケースに着脱不能に固着されていることを特徴とする請求項１あるいは請求項２何れかに記載の電気掃除機。
【請求項６】
前記下ケースカバーは、透明材で成形されることを特徴とする請求項１〜５に記載の電気掃除機。
【発明の詳細な説明】
【技術分野】
【０００１】
本発明は吸込み具を備えた電気掃除機に関する。
【背景技術】
【０００２】
従来、電気掃除機に使用される被清掃面である床面から塵埃を吸引する吸込み具は、上ケースと床面と対向する吸込み口を備えた下ケースで構成され、床面と対向する下ケースに、床面を拭いたり塵埃を捕捉したりする植毛部材（起毛布部材と言うこともある。）が設けられているものが知られている（例えば、特許文献１参照）。
【先行技術文献】
【特許文献】
【０００３】
【特許文献１】特開２０１４−２１３００９号公報（第１３頁、図１５）
【発明の概要】
【発明が解決しようとする課題】
【０００４】
特許文献１に記載の従来の電気掃除機に使用される吸込み具では、植毛部材のベース部（基部）を下ケースに直接固着している。このような場合、下ケースと植毛部材のベース部を接着剤で固着する方法を用いられることが多い。
【０００５】
直線状ではない植毛部材は、その形状を維持するために応力が掛かり剥がれ易くなることが想定される。よって、このような形状の植毛部材を固着させるときに、はがれ難くするために接着剤を多めに使用することがある。
【０００６】
接着剤を多めに使用することで、接着剤が植毛部材のベース部から植毛部分まで食み出し、植毛部分に接着剤が付着して植毛部分が固まることにより植毛部分の柔軟性が失われ、床面を拭いたり塵埃を捕捉したりする機能を損なう、という課題がある。
【０００７】
また、掃除をするときに接着剤で固まった植毛部分が床面上を移動することにより、床面を傷付けてしまう、という課題がある。
【０００８】
本発明は、以上のような課題を解決するためになされたもので、接続される吸込み具に植毛部材を接着剤で固着させるときに接着剤が食み出しにくく、植毛部材の機能を維持し床面を傷付けることがない電気掃除機を提供することを目的とする。
【課題を解決するための手段】
【０００９】
課題を解決する本発明に係る電気掃除機は、本体内部に設けられた、塵埃を吸い込むための吸引風を発生させる電動送風機と、塵埃を収容するための集塵部と、一端が本体に接続されるホース体と、ホース体の他端に接続される手元ハンドル体と、手元ハンドル体に設けられた管体と着脱可能に接続される延長管と、延長管と着脱可能に接続される吸込み具と、を備え、吸込み具は、吸込み具本体と延長管とを接続する風路が設けられた継手を有し、吸込み具本体は、上ケースと、床面と対向する面側に吸込口の一部を形成する下ケースから成り、下ケースには、床面を拭いたり塵埃を捕捉したりするための植毛部材を有する下ケースカバーが取付けられ、植毛部材は、その先端部が下ケースカバーより突出するように、下ケースカバーに設けられた溝形状内に挿入されて、接着剤で下ケースカバーに接着されるようになっていて、溝形状の側壁あるいは底面に接着剤を逃がす凹部が１つあるいは複数設けられているものである。
【発明の効果】
【００１０】
本発明に係る電気掃除機によれば、植毛部材は下ケースカバーに設けられた溝形状内に挿入されて、接着剤で下ケースカバーに接着されるようになっていて、溝形状の側壁あるいは底面に接着剤を逃がす凹部を設けたので、はがれ難くするために接着剤を多めに塗布しても、余分な接着剤は凹部に逃げて植毛部分に食み出し難くなる。よって、植毛部分が固まることがなく、床面を拭いたり塵埃を捕捉したりする機能を維持することができる。また、植毛部分が固まることがないので、床面を傷付けることもない。
【図面の簡単な説明】
【００１１】
【図１】本発明の実施の形態１に係る電気掃除機の概略構成を示す斜視図である。
【図２】電気掃除機本体を側面方向から見た断面図である。
【図３】（ａ）本発明の実施の形態１に係る電気掃除機で使用される吸込み具を上面方向から見た図、（ｂ）本発明の実施の形態１に係る電気掃除機で使用される吸込み具を下面方向から見た図である。
【図４】本発明の実施の形態１に係る電気掃除機で使用される吸込み具の、吸込み具本体から上ケースを外した状態の上面方向からの斜視図である。
【図５】本発明の実施の形態１に係る電気掃除機で使用される吸込み具の、吸込み具本体の下ケースから下ケースカバーを外した状態の下面方向からの斜視図である。
【図６】（ａ）植毛部材が取付けられた下ケースカバーの下面方向からの斜視図、（ｂ）下ケースカバー単体の下面方向からの斜視図である。
【図７】（ａ）図６（ｂ）に示すＢ方向から見た下ケースカバーの側面図、（ｂ）図６（ｂ）に示すＣ−Ｃで切断した断面図、（ｃ）図６（ｂ）に示すＤ−Ｄで切断した断面図である。
【図８】図３（ａ）に示すＡ−Ａで切断した断面図である。
【図９】図８に示すＦ部の詳細図である。
【発明を実施するための形態】
【００１２】
実施の形態１．
（全体の構成）
図１は本発明の実施の形態１に係る電気掃除機の概略構成を示す斜視図、図２は電気掃除機本体を側面方向から見た断面図である。図１と図２により、本発明の実施の形態１に係る電気掃除機全体の概略構成を説明する。
【００１３】
図１に示すように、本発明の実施の形態１に係る電気掃除機は、電気掃除機本体６にホース体５の一端が接続され、ホース体５の他端に接続された手元ハンドル体３と、手元ハンドル体３と連結された延長管２と、延長管２と接続された吸込み具１から成り、全体として電気掃除機１００が構成される。
【００１４】
電気掃除機本体６の外郭は樹脂素材で形成されている。電気掃除機本体６の前側には、ホース体５の一端を接続するための接続口７が設けられている。ホース体５を接続口７に接続することで、ホース体５と通風路を構成する手元ハンドル体３及び延長管２を介して接続される吸込み具１は、図２に示す電気掃除機本体６に内包された電動送風機１０が発生させる吸引風により、塵埃を含んだ空気を吸い込むことが可能となる。
【００１５】
また、電気掃除機本体６の上面後方には、ハンドル８が設けられている。これは電気掃除機本体６を持ち運ぶときに使用するためのもので、樹脂素材で形成されている。また、電気掃除機本体６の上面には、前方から後方に傾斜するように集塵部９が着脱自在に取付けられている。
【００１６】
集塵部９は、図２に示す電気掃除機本体６に内包された電動送風機１０が、手元ハンドル  
【００１７】
体３に設けられた操作部４からの入力で駆動することにより発生する吸引風によって、吸込み具１から吸い込んだ塵埃を含んだ空気から、塵埃と空気を分離して塵埃を捕集、収容するためのものである。
【００１８】
なお、本発明の実施の形態１の電気掃除機の集塵部９は、電気掃除機本体６の上部に露出して取り付けられた形態のもので説明したが、この形態に限定されるものではなく、電気掃除機本体６内に収容される形態のものでもよい。また、紙パックのような集塵袋を使用しないサイクロン式、使用する形態何れの形態のものでもよい。
【００１９】
さらに、電気掃除機本体６には電動送風機１０の他、操作部４からの入力で電動送風機１０の駆動、出力増減等を制御するための制御基板１１、電動送風機１０等に電力を供給する図示しない電源コードを収納するためのコードリールも内包される。
【００２０】
電気掃除機本体６の接続口７に一端が接続されるホース体５は、蛇腹のような可撓性を有する軟質管で形成されている。ホース体５の他端は、手元ハンドル体３の一端に接続される。手元ハンドル体３は吸込み具１を操ることと、掃除機本体６の取り廻しをするためのものであり、硬質の樹脂素材で形成されている。
【００２１】
手元ハンドル体３には前述のように操作部４が設けられている。操作部４は図示しない複数の操作スイッチを有し、これら操作スイッチからの入力を受けて制御基板１１が電動送風機１０を駆動させる。駆動した電動送風機１０が吸引風を発生させることにより、塵埃を含んだ空気を吸い込むことが可能となる。
【００２２】
手元ハンドル体３のもう一端は、延長管２の一端に接続される。延長管２は図示しないが伸縮構造を有しており、掃除をするとき、必要に応じて伸ばして使用することができるようになっていて、手元ハンドル体３と同様、硬質の樹脂素材で形成されている。
【００２３】
延長管２の他端は、吸込み具１に接続される。以降、図３から図８により本発明の実施の形態１に係る電気掃除機に使用される吸込み具の構成について詳しく説明する。
【００２４】
（吸込み具の構成）
図３（ａ）は本発明の実施の形態１に係る電気掃除機で使用される吸込み具を上面方向から見た図、図３（ｂ）本発明の実施の形態１に係る電気掃除機で使用される吸込み具を下面方向から見た図、図４は本発明の実施の形態１に係る電気掃除機で使用される吸込みお具の、吸込み具本体から上ケースを外した状態の上面方向からの斜視図、図５は本発明の実施の形態１に係る電気掃除機で使用される吸込み具の、吸込み具本体の下ケースから下ケースカバーを外した状態の下面方向からの斜視図、図６（ａ）は植毛部材が取付けられた下ケースカバーの下面方向からの斜視図、図６（ｂ）は下ケースカバー単体の下面方向からの斜視図、図７（ａ）は図６（ｂ）に示すＢ方向から見た下ケースカバーの側面図、図７（ｂ）は図６（ｂ）に示すＣ−Ｃで切断した断面図、図７（ｃ）は図６（ｂ）に示すＤ−Ｄで切断した断面図、図８は図３（ａ）に示すＡ−Ａで切断した断面図、図９は図８に示すＦ部の詳細図である。
なお、それぞれの図において、同じ部分または相当する部分には同じ符号を付し、一部の説明を省略する場合がある。
【００２５】
吸込具１は図３〜５に示すように、吸込み具本体２１と継手管２２で、アルファベットのＴの字の様に構成され、吸込み具本体２１と継手管２２は回動部２３で回動自在に連結されている。継手管２２に設けられた接続部２４と延長管２の他端とを接続し、吸込み具１は電動送風機１０と風路が連通する。
【００２６】
吸込み具本体２１は、硬質の樹脂素材で形成された下ケース３１、同様に硬質の樹脂素材で形成された上ケース３０、及び硬質の樹脂素材で形成されて意匠性を考慮した外観を有するカバー３２で外郭が構成される。上ケース３０とカバー３２が吸込み具本体２１の上面を構成する部材となる。
【００２７】
下ケース３１と上ケース３０の当接部には、軟質の樹脂素材で形成されたダンパー２９がその外周に取付けられている。ダンパー２９は、掃除のときに吸込み具１が壁や家具等に当たっても、それらが傷付かないようにするためのものである。
【００２８】
被清掃面である床面と対向する吸込み具本体２１の下面側には、下面部開口２５が設けられている。下面部開口２５は、床面等から塵埃を吸い込むための開口、吸込み口である。
【００２９】
下面部開口２５の内部には空間があり、その空間には床面から塵埃を掻き揚げるための回転ブラシ２６が着脱自在に取付けられている。回転ブラシ２６は図４に示す、吸込み具本体２１の進行方向側（前側）から見て後側の下ケース３１に配置されたモーター３７によって回転力を得ている。
【００３０】
モーター３７の回転力は、まず、モーター３７の回転軸に圧入された図示しないギアからベルト３８に伝達される。ベルト３８に伝達されたモーター３７の回転力は、回転ブラシ２６の図示しないギアに伝達されて回転ブラシ２６が回転する。このように回転ブラシ２６が回転することにより床面から塵埃を掻き上げることができ、より清掃性能の向上が図れる。
【００３１】
吸込み具本体２１の下面側には、吸込み具本体２１の下ケース３１から出没自在のスイッチ２８が設けられている。このスイッチ２８は、回転ブラシ２６を回転させるモーター３７の回転をオン、オフするためのものである。
【００３２】
回転ブラシ２６は床面から塵埃を掻き上げるので、床面に接触していないときに回転させると無駄な電力を消費したり、使用者が触れて危険であったりする。よって、吸込み具本体２１が床面から離れるとスイッチ２８は下面から突出してモーター３７がオフし、回転ブラシ２６の回転を停止させ、再び、吸込み具本体２１を床面に接触させると、スイッチ２８が下ケース３１内に没してモーター３７がオンし、回転ブラシ２６の回転を開始するようになっている。
【００３３】
回転ブラシ２６は、下面部開口２５の内部から抜き差し可能に構成されている。図４、図５に示す係合解除レバー３６を一方向に回動させると回転ブラシ２６と吸込み具本体２１との係合が解除され、係合解除レバー３６ごと矢印Ｅの方向に移動させると引き抜くことができる。
【００３４】
回転ブラシ２６は、吸込み具本体２１から引き抜くことで、からまった糸くずや毛髪等の除去がしやすくなったり、回転ブラシ２６自体を洗浄したりすることができるようになるので、回転ブラシ２６の性能を維持し清潔性の回復が図れる。
【００３５】
取り付けるときは、引き抜いた矢印Ｅの方向と逆の方向に回転ブラシ２６を挿入し、係合解除レバー３６を係合が解除された方向と逆方向に回動させると回転ブラシ２６が吸込み具本体２１に再び係合される。
【００３６】
また、吸込み具本体２１の下面側には、床面をスムーズに移動できるように車輪２７ａ、２７ｂ、３５ａ、３５ｂが設けられている（図３（ｂ）参照）。清掃中に吸込み具１を床面上で横滑りさせる動きも想定して、車輪２７ａ、２７ｂ、３５ａ、３５ｂには適度な摺動性を持たせている。
【００３７】
吸込み具本体２１の下面側を構成する下ケースには、着脱可能に下ケースカバー３３が取付けられている。下ケースカバー３３には図６（ａ）に示すように係止爪３３ａ、３３ｂ、３３ｃ、３３ｄが設けられている。
【００３８】
係止爪３３ａ、３３ｂ、３３ｃ、３３ｄは、下ケース３１に設けられた係合穴３１ａ、３１ｂ、３１ｃ、３１ｄとそれぞれ係合し、係合穴３１ａ、３１ｂ、３１ｃ、３１ｄの縁部に係止爪３３ａ、３３ｂ、３３ｃ、３３ｄがそれぞれ掛かり、下ケース３１に下ケースカバー３３が取付けられる。
【００３９】
下ケースカバー３３にはネジ座３３ｇ、３３ｈも設けられており、図３（ｂ）に示すネジ３９で、図示しない下ケース３１のネジ受け部にネジ座３３ｇ、３３ｈが固定される。
【００４０】
なお、本発明の実施の形態１では、係止爪とネジによる取付けの形態を一例として説明したが、これに限定されるものではなく、係止爪のみで取付けするようにしてもよく、他の着脱可能な取付け形態を採用してもよい。
【００４１】
下ケースカバー３３は、透明あるいは半透明の樹脂素材で形成されている。下ケースカバー３３を透明あるいは半透明にすることで、掃除中に塵埃以外の異物を吸い込んでしまい、図８に示す空間４１に異物が留まってしまっている場合でも、下ケースカバー３３から空間４１内部が視認可能であることから、留まっている異物の確認が容易である。
【００４２】
そして、回転ブラシ２６を引き抜くか、あるいは下ケースカバー３３を取り外して空間４１に手指を入れることができるので、容易に異物を除去することができる。
【００４３】
下ケースカバー３３には、図５、図６（ｂ）に示すように植毛部材３４が取り付けられている。植毛部材３４は、図９に示すように植毛部材基部３４ａと植毛部３４ｂから成る。植毛部３４ｂは、例えばナイロン樹脂を柔軟性のある繊維状にしたものを束ねて形成されている。
【００４４】
植毛部材３４は、図３（ｂ）に示すように、下面部開口２５の（進行方向側に対して）後側に取付けられている。植毛部材３４の機能として床面を拭く、取り残した塵埃を捕捉するという機能があり、フローリングの床面等で効果を奏する。
【００４５】
また、下面部開口２５の（進行方向側に対して）後側から不要な空気を吸いにくくして、下面部開口２５の吸引性能を向上させるという機能もある。後側から不要な空気を吸いにくくするというのは、図８に示すように、下面部開口２５、回転ブラシ２６の後側に取付けられた植毛部材３４が床面に接触し、後側からの空気の侵入を抑制しているということである。その他に、硬質の樹脂素材で形成された下ケース３１が床面を傷付けないようにするという機能も有する。
【００４６】
植毛部材３４は、植毛部材基部３４ａを図６（ｂ）、図７（ｂ）、（ｃ）に示す下ケースカバー３３の溝形状３３ｅに挿入し、植毛部材基部３４ａと溝形状３３ｅの底面３３１、側壁３３２、３３３とを、接着剤を用いて固着している。植毛部材３４は下ケースカバー３３に固着した状態で、図５、図６（ａ）に示すように下ケースカバー３３から植毛部３４ｂが突出、さらには図８に示すように下ケース３１から床面側に突出している。
【００４７】
植毛部材３４は、図３（ｂ）に示すように長手方向において、両端よりも中央部が進行方向に対して後側に位置するように鈍角に屈曲して固着されている。図示しないが植毛部材３４自体は直線状をしており、溝形状３３ｅは図６（ｂ）に示すように中央部が鈍角に屈曲していて、植毛部材３４は、その溝形状３３ｅに倣い鈍角に屈曲した状態で固着されている。
【００４８】
植毛部材３４を長手方向において、両端よりも中央部が進行方向に対して後側に位置するように鈍角に屈曲させることで、吸込み具１の進行方向に対して植毛部材３４が傾斜しているので、直線状のものよりも塵埃が補足しやすくなり、塵埃を集めやすく取り残しにくいという効果がある。
【００４９】
また、床面に絨毯が敷かれている場合、植毛部材が直線状のものでは吸込み具１の進行方向に対して植毛部材が直交しているので絨毯との抵抗が大きくなるが、両端よりも中央部が進行方向に対して後側に位置するように鈍角に屈曲させた植毛部材３４では、吸込み具１の進行方向に対して植毛部材３４が傾斜しているので絨毯との抵抗が軽減できるという効果もある。
【００５０】
だが、直線状の植毛部材３４を溝形状３３ｅに倣い鈍角に屈曲させて固着させるので、その形状を維持するために屈曲部分には応力が掛かり、固着させても応力の掛かる部分が剥がれ易くなる虞がある。
【００５１】
よって、応力が掛かる部分の接着力を高めるために、接着剤を多めに使用する必要があり、植毛部材３４の屈曲部分に接着剤が多めに使用される。接着剤を多めに使用することで接着剤が植毛部材３４の基部３４ａにとどまらず、植毛部３４ｂまで食み出す虞があり、さらには下ケースカバー３３から突出した植毛部３４ｂにまで食み出す虞がある。
【００５２】
接着剤が、下ケースカバー３３から突出した植毛部３４ｂにまで食み出した場合、その状態で接着剤が固化すると植毛部３４ｂの柔軟性が失われてしまい、床面を拭いたり塵埃を捕捉したりする機能を損なう虞がある。また、固化した接着剤でフローリングの床面を傷付ける虞がある。
【００５３】
そこで、植毛部３４ｂへの接着剤の食み出しを抑制するため、図７（ｃ）、図９に示すように、植毛部材３４が屈曲する位置の溝形状の側壁３３３に余分な接着剤を収容するための凹部（接着剤逃がし）３３ｆを設けている。
【００５４】
接着剤が食み出し易い、植毛部材３４が屈曲する凸方向の頂点となる位置の溝形状の側壁３３３に凹部（接着剤逃がし）３３ｆを設けることで、食み出す接着剤を逃がし収容できるので、植毛部３４ｂあるいは下ケースカバー３３から突出した植毛部３４ｂへの接着剤の食み出しを抑制できる。
【００５５】
よって、植毛部３４ｂの柔軟性が失われることがなく、床面を拭いたり塵埃を捕捉したりする機能を維持できる。また、フローリングの床面を傷付けることもない。
【００５６】
また、凹部（接着剤逃がし）３３ｆへ収容した接着剤ともども固化し固着するので、植毛部材３４の屈曲部の接着力の向上にも寄与する。
【００５７】
なお、本発明の実施の形態１では、植毛部材３４が屈曲する凸方向の頂点となる位置の溝形状の側壁３３３に凹部（接着剤逃がし）３３ｆを設けるようにしたが、植毛部材３４が屈曲する凸方向の頂点となる位置の溝形状の底面３３１に凹部（接着剤逃がし）を設けても、凹方向となる位置の溝形状の側壁３３２に凹部（接着剤逃がし）を設けても、あるいは溝形状側壁３３３、溝形状側壁３３２及び溝形状底面３３１の全てに凹部（接着剤逃がし）を設けても、同様に余分な接着剤を収容することができる。
【００５８】
また、例えば両端部の植毛部材３４も剥がれ易い虞があるので、植毛部材３４が屈曲する凸方向の頂点となる位置と同様、植毛部材３４の両端部にも接着剤を多めに使用し、植毛部材３４が屈曲する凸方向の頂点となる位置の溝形状の側壁３３３に凹部（接着剤逃がし）３３ｆと併せて、植毛部材３４の両端部となる位置の溝形状側壁３３３あるいは３３３あるいは溝形状底面３３１にも凹部（接着剤逃がし）を設けても、言い替えると複数の凹部（接着剤逃がし）を設けても、同様に余分な接着剤を収容することができる。
【００５９】
以上のように本発明の実施の形態１に係る電気掃除機によれば、植毛部材３４を接着する接着剤の、余分となる接着剤を収容する凹部（接着剤逃がし）３３ｆを設けたので、接着剤が植毛部材３４の植毛部３４ｂに食み出すことが抑制でき、植毛部３４ｂの柔軟性が失われず、床面を拭いたり塵埃を捕捉したりする機能を維持することができる。
【００６０】
また、植毛部材３４が固着される下ケースカバー３３が着脱自在に取付けされているので、植毛部材３４が傷んだとき、下ケースに直接植毛部材が固着されている従来のものに比べ、交換が容易であり、下ケースごと交換するよりもコストを抑制することができる。
【００６１】
実施の形態２．
本発明の実施の形態２に係る電気掃除機は、本発明の実施の形態１に係る電気掃除機と吸込み具の一部構成が異なる。吸込み具を除く他の構成は本発明の実施の形態１に係る電気掃除機と同様の構成である。よって、ここでは本発明の実施の形態１に係る電気掃除機と異なる箇所について説明し、それ以外の説明は省略する。
【００６２】
本発明の実施の形態２に係る電気掃除機が本発明の実施の形態１に係る電気掃除機と異なる箇所は、下ケースカバー３３が下ケース３１に、接着あるいは溶着により着脱不能に固着されることである。
【００６３】
下ケースカバー３３が下ケース３１に、接着あるいは溶着により着脱不能に固着されることにより、吸込み具本体２１の下面側に設けられた下面部開口２５周辺の強度が高くなることと、下ケースカバー３３の強度も高くなるので植毛部材３４の平坦度が安定し、床面を拭く、取り残した塵埃を捕捉するという植毛部材３４の効果もより安定して発揮できるようになる。
【００６４】
下ケースカバー３３は、透明あるいは半透明の樹脂素材で形成されている。下ケースカバー３３を透明あるいは半透明にすることで、掃除中に塵埃以外の異物を吸い込んでしまい、図８に示す空間４１に異物が留まってしまっている場合でも、下ケースカバー３３から空間４１内部が視認可能であることから、留まっている異物の確認が容易である。そして、回転ブラシ２６を引き抜き空間４１に手指を入れることができるので、容易に異物を除去することができる。
【符号の説明】
【００６５】
１  吸込み具、２  延長管、３  手元ハンドル体、４  操作部、５  ホース体、６  電気掃除機本体、７  接続口、８  ハンドル、９  集塵部、１０  電動送風機、１１  制御基板、２１  吸込み具本体、２２  継手管、２３  回動部、２４  接続部、２５  下面部開口、２６  回転ブラシ、２７ａ  車輪、２７ｂ  車輪、２８  スイッチ、２９  ダンパー、３０  上ケース、３１  下ケース、３１ａ  係合穴、３１ｂ  係合穴、３１ｃ  係合穴、３１ｄ  係合穴、３２  カバー、３３  下ケースカバー、３３ａ  係止爪、３３ｂ  係止爪、３３ｃ  係止爪、３３ｄ  係止爪、３３ｅ  溝形状、３３ｆ  凹部（接着剤逃がし）、３３ｇ  ネジ座、３３ｈ  ネジ座、３４  植毛部材、３４ａ  植毛部材基部、３４ｂ  植毛部、３５ａ  車輪、３５ｂ  車輪、３６  係合解除レバー、３７  モーター、３８  ベルト、３９  ネジ、４１  空間、１００  電気掃除機、３３１  溝形状底面、３３２  溝形状側壁、３３３  溝形状側壁。
【図１】
2017018412.tif 000003
【図２】
2017018412.tif 000004
【図３】
2017018412.tif 000005
【図４】
2017018412.tif 000006
【図５】
2017018412.tif 000007
【図６】
2017018412.tif 000008
【図７】
2017018412.tif 000009
【図８】
2017018412.tif 000010
【図９】
2017018412.tif 000011